(57)【特許請求の範囲】
【請求項１】
長円状の軌跡でチェーンを駆動するとともに、対向するチェーンのリンクプレート間にスクリーンパネルを架設するようにした濾面循環式除塵機のコンベアチェーン装置において、１つのリンクプレートに、隣接するリンクプレートと共用の両端の２個のローラを含む４個のローラを、各ローラが前記軌跡の円周部に沿う円弧状に配列されるように配設し、前記４個のローラをチェーンの外周側に配設した駆動用スプロケットに順に噛合させることによりチェーンを循環駆動するようにするとともに、長円状の軌跡の直線部で、隣接するリンクプレートと共用の両端の２個のローラがチェーンの内側に設置された直線状のレールに沿って、中央の２個のローラがチェーンの外側に設置された直線状のレールに沿ってそれぞれ転動し、円周部で、４個のローラがチェーンの内側に設置された円弧状のレールに沿って転動するようにしたことを特徴とする濾面循環式除塵機のコンベアチェーン装置。
【発明の詳細な説明】
【技術分野】
【０００１】
本発明は、下水処理や河川排水処理に使用し得る濾面循環式除塵機のコンベアチェーン装置に関するものである。
【背景技術】
【０００２】
例えば、コンベアチェーン装置を用いた下水道の濾面循環式除塵機は、並設した長円状のレールに沿ってチェーンを駆動するとともに、対向するチェーンの間に複数のスクリーンパネルを架設し、該チェーンでスクリーンパネルを循環移動させることにより、スクリーンパネルで濾過したし渣を上部位置でホッパに回収するようにしている。
【０００３】
このようなコンベアチェーン装置において、図５に示すように、複数のリンクに亘ってスクリーンパネル３を取り付ける場合、スクリーンパネル３の取付長さＬは一定であるのに対し、レールの円周部ではチェーンが屈曲するため、この取付長さＬが小さくなって取付長さＬ’となる（Ｌ’＜Ｌ）。
なお、この従来のコンベアチェーン装置では、図において斜線で示すように、１リンクは１つのリンクプレートで構成されており、スクリーンパネル３は、３つのリンクに跨るように架設されている。
【０００４】
したがって、従来のコンベアチェーン装置では、通常は複数リンクに亘ってスクリーンパネル等を取り付ける構造にできず、どうしても複数リンクに亘って取り付ける場合は、取付長さＬからＬ’への変化に合わせて、リンク長さが伸縮するような構造が必要であった。
【発明の開示】
【発明が解決しようとする課題】
【０００５】
本発明は、上記従来のコンベアチェーン装置が有する問題点に鑑み、パネルの取付長さを軌跡の直線部及び円周部ともに一定に保持することにより、リンク長さが伸縮するような複雑な構造を採用することなく、長いパネルをチェーンに容易に取り付けることができる濾面循環式除塵機のコンベアチェーン装置を提供することを目的とする。
【課題を解決するための手段】
【０００６】
上記目的を達成するため、本発明の濾面循環式除塵機のコンベアチェーン装置は、長円状の軌跡でチェーンを駆動するとともに、対向するチェーンのリンクプレート間にスクリーンパネルを架設するようにした濾面循環式除塵機のコンベアチェーン装置において、１つのリンクプレートに、隣接するリンクプレートと共用の両端の２個のローラを含む４個のローラを、各ローラが前記軌跡の円周部に沿う円弧状に配列されるように配設し、前記４個のローラをチェーンの外周側に配設した駆動用スプロケットに順に噛合させることによりチェーンを循環駆動するようにするとともに、長円状の軌跡の直線部で、隣接するリンクプレートと共用の両端の２個のローラがチェーンの内側に設置された直線状のレールに沿って、中央の２個のローラがチェーンの外側に設置された直線状のレールに沿ってそれぞれ転動し、円周部で、４個のローラがチェーンの内側に設置された円弧状のレールに沿って転動するようにしたことを特徴とする。
【発明の効果】
【０００７】
本発明の濾面循環式除塵機のコンベアチェーン装置によれば、パネルに合わせてリンクを長く形成し、パネルを１リンクで架設することができ、これにより、パネルの取付長さを軌跡の直線部及び円周部ともに一定に保持せしめて、リンク長さが伸縮するような複雑な構造を採用することなく、長いパネルをチェーンに容易に取り付けることができる。
また、１つのリンクでローラの個数を増やすことにより、ピッチを小さくして、駆動用スプロケットの径を小さくすることができる。
【発明を実施するための最良の形態】
【０００８】
以下、本発明の濾面循環式除塵機のコンベアチェーン装置の実施の形態を、図面に基づいて説明する。
【実施例１】
【０００９】
図１〜図４に、本発明の濾面循環式除塵機のコンベアチェーン装置の一実施例を示す。
この濾面循環式除塵機のコンベアチェーン装置は、図４に示すように、例えば、下水道の濾面循環式除塵機に使用することができ、並設した長円状のレール１に沿ってチェーン２を駆動するとともに、対向するチェーン２の間に複数のスクリーンパネル３を架設し、該チェーン２でスクリーンパネル３を循環移動させることにより、スクリーンパネル３で濾過したし渣を上部位置でホッパ４に回収するようにしている。
そして、この濾面循環式除塵機のコンベアチェーン装置は、１つのリンク（図１斜線部）に４個のローラ５を、各ローラ５がレール１の円周部１ａに沿う円弧状に配列されるように、リンクプレート６に配設し、スクリーンパネル３を該リンクプレート６の両端に架設している。
【００１０】
レール１は、パネル幅の間隔を開けて対向するように並設された１対のものからなり、各レール１は、上下の円周部１ａと左右の直線部１ｂとで形成されている。
直線部１ｂでは、ローラ５の内側と外側にレール１、１’が敷設されるとともに、円周部１ａでは、ローラ５の下側に１本のレール１が敷設されている。
【００１１】
チェーン２は、その外側に駆動用スプロケット７を配設し、該駆動用スプロケット７がローラ５に噛合することにより駆動する。
ローラ５は、山型に形成したリンクプレート６に４個配設されるとともに、各ローラ５がレール１の円周部１ａに沿う円弧状に配列されるように、リンクプレート６に配設するようにしている。
ローラ５は、レール１の直線部１ｂでは、両端の２個が内側のレール１上を転動し、中央の２個が外側のレール１’上を転動する。そして、レール１の円周部１ａでは、すべてのローラ５が１本の同じレール１上を転動する。
【００１２】
かくして、本実施例の濾面循環式除塵機のコンベアチェーン装置は、長円状のレール１でチェーン２を駆動するとともに、対向するチェーン２の間にスクリーンパネル３を架設するようにしたコンベアチェーン装置において、１つのリンクに少なくとも３個のローラ５を、各ローラ５が前記レール１の円周部１ａに沿う円弧状に配列されるように、リンクプレート６に配設することから、スクリーンパネル３に合わせてリンクを長く形成し、スクリーンパネル３を１リンクで架設することができ、これにより、スクリーンパネル３の取付長さをレール１の直線部１ｂ及び円周部１ａともに一定に保持せしめて、リンク長さが伸縮するような複雑な構造を採用することなく、長いスクリーンパネル３をチェーン２に容易に取り付けることができる。
また、１つのリンクでローラ５の個数を増やすことにより、ピッチを小さくして、駆動用スプロケット７の径を小さくすることができる。
【００１３】
以上、本発明の濾面循環式除塵機のコンベアチェーン装置について、その実施例に基づいて説明したが、本発明は上記実施例に記載した構成に限定されるものではなく、その趣旨を逸脱しない範囲において適宜その構成を変更することができる。
【産業上の利用可能性】
【００１４】
本発明の濾面循環式除塵機のコンベアチェーン装置は、パネルの取付長さを軌跡の直線部及び円周部ともに一定に保持することにより、リンク長さが伸縮するような複雑な構造を採用することなく、長いパネルをチェーンに容易に取り付けられるという特性を有していることから、河川や下水処理・浄水処理の除塵の用途に好適に用いることができるほか、例えば、一般産業・食品関連の除塵の用途にも好適に用いることができる。
【図面の簡単な説明】
【００１５】
【図１】本発明の濾面循環式除塵機のコンベアチェーン装置の一実施例を示す部分正面図である。
【図２】同濾面循環式除塵機のコンベアチェーン装置のチェーンを示し、（ａ）は（ｂ）のＡ矢視図、（ｂ）はチェーンの平面図、（ｃ）は（ｂ）のＢ矢視図、（ｄ）はチェーンの底面図である。
【図３】同濾面循環式除塵機のコンベアチェーン装置のチェーンを示し、（ａ）は図２（ｂ）のＣ矢視図、（ｂ）は同Ｄ矢視図、（ｃ）は同Ｅ矢視図である。
【図４】同濾面循環式除塵機のコンベアチェーン装置を用いた濾面循環式除塵機を示す斜視図である。
【図５】従来のコンベアチェーン装置を示す正面図である。
【符号の説明】
【００１６】
１    レール
１ａ  円周部
１ｂ  直線部
２    チェーン
３    スクリーンパネル
４    ホッパ
５    ローラ
６    リンクプレート
７    駆動用スプロケット
【図１】
0004668708.tif 000002
【図２】
0004668708.tif 000003
【図３】
0004668708.tif 000004
【図４】
0004668708.tif 000005
【図５】
0004668708.tif 000006